(57)【要約】      （修正有）【課題】フラップ同士が互いを係止して仮封止でき、一般的な段ボール箱と同様に隙間なく封函でき段ボール箱を形成する段ボール箱用シート提供する。【解決手段】箱状に組み立て可能な一枚の段ボール紙からなり、それぞれ対向し合う一対の第１側壁２及び一対の第２側壁３を有する四角筒状部４と、第１側壁の各上縁から延出し、天面を被覆可能な略方形かつ一対の外フラップ５と、第２側壁の各上縁から延出し、天面を部分的に被覆可能な略方形かつ一対の内フラップ６とを備える段ボール箱用シートであって、隣接する二対の外フラップ及び内フラップの少なくとも一対が外フラップ及び内フラップ間の係止機構を有し、この係止機構は、内フラップの先端縁に開口するよう形成された略Ｖ字状の切り欠き９と、外フラップの先端縁から略垂直に形成されて切り欠き９と係合するスリット１０とで構成される。【選択図】図２
0003186868.tif 000002
【実用新案登録請求の範囲】
【請求項１】
箱状に組み立て可能な一枚の段ボール紙からなり、
それぞれ対向し合う一対の第１側壁及び一対の第２側壁を有する四角筒状部と、
上記第１側壁の各上縁から延出し、天面を被覆可能な略方形かつ一対の外フラップと、
上記第２側壁の各上縁から延出し、天面を部分的に被覆可能な略方形かつ一対の内フラップと
を備える段ボール箱用シートであって、
隣接する二対の上記外フラップ及び上記内フラップの少なくとも一対が上記外フラップ及び上記内フラップ間の係止機構を有し、
この係止機構が、上記内フラップの先端縁に開口するよう形成された略Ｖ字状の切り欠きと、上記外フラップの先端縁から略垂直に形成されて上記切り欠きと係合するスリットとを有することを特徴とする段ボール箱用シート。
【請求項２】
上記スリットの長さが上記切り欠きの深さよりも大きい請求項１に記載の段ボール箱。
【請求項３】
上記外フラップが、上記スリットの所定位置を起点とし、この外フラップと隣接する上記内フラップと反対側かつこの外フラップの先端縁に伸びる弱化線を有する請求項１又は請求項２に記載の段ボール箱用シート。
【請求項４】
上記内フラップの基端縁から上記切り欠きの略Ｖ字状の頂点までの垂直距離と上記外フラップにおける上記内フラップとの隣接縁から上記弱化線の起点までの垂直距離との差が２０ｍｍ以下であり、
上記内フラップにおける上記外フラップとの隣接縁から上記切り欠きの上記頂点までの垂直距離と上記外フラップの基端縁から上記弱化線の上記起点までの垂直距離との差が２０ｍｍ以下であることを特徴とする請求項３に記載の段ボール箱用シート。
【請求項５】
上記切り欠きが、隣接する上記外フラップとの隣接縁側の近位エッジと、上記隣接縁と反対側の遠位エッジとによって画定され、
上記遠位エッジの上記内フラップの先端縁に対する傾斜角度と、上記弱化線の上記外フラップの先端縁に対する傾斜角度との合計角度が９０°より大きい請求項３又は請求項４に記載の段ボール箱用シート。
【請求項６】
上記合計角度が９５°以上１２０°以下である請求項５に記載の段ボール箱用シート。
【請求項７】
上記内フラップの基端縁から上記切り欠きの略Ｖ字状の頂点までの垂直距離が、上記内フラップにおける上記外フラップとの隣接縁から上記切り欠きの上記頂点までの垂直距離より大きく、
上記外フラップの基端縁から上記弱化線の上記起点までの垂直距離が、上記外フラップにおける上記内フラップとの隣接縁から上記弱化線の起点までの垂直距離より大きい請求項３から請求項６のいずれか１項に記載の段ボール箱用シート。
【請求項８】
上記内フラップの基端縁から上記切り欠きの略Ｖ字状の頂点までの垂直距離と上記外フラップの基端縁から上記弱化線の上記起点までの垂直距離との差が５ｍｍ以上２０ｍｍ以下である請求項７に記載の段ボール箱用シート。
【請求項９】
請求項１から請求項８のいずれか１項に記載の段ボール箱用シートを組み立ててなる段ボール箱。
【考案の詳細な説明】
【技術分野】
【０００１】
本考案は、段ボール箱用シート及び段ボール箱に関する。
【背景技術】
【０００２】
一対の内フラップ及び一対の外フラップを備えるいわゆるＡ式の段ボール箱を使用する際、粘着テープ等を用いずに一時的に段ボール箱をフラップで仮封止したい場合がある。通常の封函時には、内フラップの上に外フラップを折り重ねるが、仮封止する場合には、各フラップの一方側が隣接するフラップの上側に配置され、他方側が隣接するフラップの下側に配置されるよう、いわゆる風車型に４枚のフラップを順番に折り込むことが行われている。
【０００３】
フラップを風車型に折り込むためには、最後に折り込むフラップの側端を大きく折り曲げるようにして隣接するフラップの下に差し込むか、最初に折りこんだフラップの側端を折り曲げるようにして隣接するフラップの上に引き出す必要がある。このため、フラップを風車型に折り込むためにはかなりの力が必要とされる。また、そのようにフラップを折り込む際には、段ボール箱用シートが破れたり、段ボール箱用シートに不要な折り目が形成されたりする危険性がある。
【０００４】
段ボール箱をより簡単に仮封止できるようにするため、フラップの側端を折り込みやすいように隣接するフラップの側端を斜めに切除したもの（特開２００７−８４１２８号公報及び特開２００８−３０８３４号公報）や、フラップを折り曲げてその一部を隣接するフラップに形成したスリットに差し込むようにしたもの（特開２００５−３４３５４２号公報及び実用新案登録第３１１７２７６号公報）が提案されている。
【０００５】
しかしながら、それらの構成では、フラップを大きく切り欠いたり折り曲げたりするため、段ボール箱を最終的に粘着テープで封函したときに、段ボール箱を完全に封止できなかったり、段ボール箱の強度が不十分となったり、見た目が悪くなったりするおそれがある。
【先行技術文献】
【特許文献】
【０００６】
【特許文献１】特開２００７−８４１２８号公報
【特許文献２】特開２００８−３０８３４号公報
【特許文献３】特開２００５−３４３５４２号公報
【特許文献４】実用新案登録第３１１７２７６号公報
【考案の概要】
【考案が解決しようとする課題】
【０００７】
そこで、本考案は、フラップ同士が互いを係止して仮封止できると共に、一般的な段ボール箱と同様に隙間なく封函できる段ボール箱を形成できる段ボール箱用シート及び段ボール箱を提供することを課題とする。
【課題を解決するための手段】
【０００８】
上記課題を解決するためになされた考案は、箱状に組み立て可能な一枚の段ボール紙からなり、それぞれ対向し合う一対の第１側壁及び一対の第２側壁を有する四角筒状部と、上記第１側壁の各上縁から延出し、天面を被覆可能な略方形かつ一対の外フラップと、上記第２側壁の各上縁から延出し、天面を部分的に被覆可能な略方形かつ一対の内フラップとを備える段ボール箱用シートであって、隣接する二対の上記外フラップ及び上記内フラップの少なくとも一対が上記外フラップ及び上記内フラップ間の係止機構を有し、この係止機構が、上記内フラップの先端縁に開口するよう形成された略Ｖ字状の切り欠きと、上記外フラップの先端縁から略垂直に形成されて上記切り欠きと係合するスリットとを有することを特徴とする。
【０００９】
当該段ボール箱用シートを組み立てた段ボール箱は、内フラップの切り欠きに外フラップのスリットを係合させるので、フラップを大きく変形する必要がなく、内フラップの切り欠きよりも隣接縁側の先端部又は外フラップのスリットよりも隣接縁側の先端部のみを変形させるだけで内フラップと外フラップとが係止し合う状態となり、簡単かつ確実に段ボール箱を仮封止できる。このように、当該段ボール箱用シートは、フラップを大きく変形させる必要がないので、段ボール箱を破損したり、折れ目がついて段ボール箱の強度が不足したりする危険性が低い。また、外フラップにはスリットが形成されるのみで切り欠きがないため、外フラップを上にして粘着テープで段ボール箱を封函すると、一般的な段ボール箱と同様に隙間ができず、段ボール箱の強度も一般的なものと変わらない。なお、本願においてスリットが切り欠きと係合するとは、スリットの一方のエッジが内フラップの上側から下側又は下側から上側へと切り欠きの中を通過することをいう。
【００１０】
当該段ボール箱用シートにおいて、上記スリットの長さが上記切り欠きの深さよりも大きいとよい。スリットを長くすることにより、外フラップに折り目をつけることなく弾性変形によって切り欠きに係合可能な隙間を形成できる。
【００１１】
当該段ボール箱用シートにおいて、上記外フラップが、上記スリットの所定位置を起点とし、この外フラップと隣接する上記内フラップと反対側かつこの外フラップの先端縁に伸びる弱化線を有するとよい。外フラップの上に内フラップを配置して、弱化線、先端縁及びスリットで確定される三角形の部分（以下摘み部という）を上方に折返すようにして把持することで、外フラップの弱化線より基端縁側の部分を内フラップの切り欠きより基端縁側の部分の上に引き出し、外フラップ及び内フラップに互いを係止させられる。
【００１２】
当該段ボール箱用シートにおいて、上記内フラップの基端縁から上記切り欠きの略Ｖ字状の頂点までの垂直距離と上記外フラップにおける上記内フラップとの隣接縁から上記弱化線の起点までの垂直距離との差が２０ｍｍ以下であり、上記内フラップにおける上記外フラップとの隣接縁から上記切り欠きの上記頂点までの垂直距離と上記外フラップの基端縁から上記弱化線の上記起点までの垂直距離との差が２０ｍｍ以下であるとよい。これにより、段ボール箱を封止するように内フラップと外フラップとを折り重ねたとき、切り欠きの頂点と摘み部の基端縁側の頂点とが概略重なるように配置される。このため、スリットが切り欠きに深く係合し、確実な仮封止ができる。
【００１３】
当該段ボール箱用シートにおいて、上記切り欠きが、隣接する上記外フラップとの隣接縁側の近位エッジと、上記隣接縁と反対側の遠位エッジとによって画定され、上記遠位エッジの上記内フラップの先端縁に対する傾斜角度と、上記弱化線の上記外フラップの先端縁に対する傾斜角度との合計角度が９０°より大きいとよい。この合計角度を大きくすれば、弱化線が切り欠きの隣接縁と反対側のエッジ（以下遠位エッジという）よりも内フラップの基端縁側に配置されるので、この弱化線と遠位エッジとの間の領域において外フラップと内フラップとが重なり合って外フラップで内フラップを係止できる。
【００１４】
上記合計角度が９５°以上１２０°以下であるとよい。これにより、外フラップが内フラップを係止するために十分な重複領域を確保できると共に、外フラップの弱化線近傍部分を内フラップの下側から内フラップの上側に引き出す際の抵抗が過剰にならない。
【００１５】
当該段ボール箱用シートにおいて、上記内フラップの基端縁から上記切り欠きの略Ｖ字状の頂点までの垂直距離が、上記内フラップにおける上記外フラップとの隣接縁から上記切り欠きの上記頂点までの垂直距離より大きく、上記外フラップの基端縁から上記弱化線の上記起点までの垂直距離が、上記外フラップにおける上記内フラップとの隣接縁から上記弱化線の起点までの垂直距離より大きいとよい。このように構成すれば、スリットを設けた外フラップが延出する第１側壁と切り欠きを設けた内フラップが延出する第２側壁との間の角度を広げるように段ボール箱を変形させることにより初めて切り欠きにスリットを係合させられる。段ボール箱のこの変形に対する反力が切り欠きとスリットとを係合させる方向に作用するため、フラップが係止し合う状態を保持できる。
【００１６】
当該段ボール箱用シートにおいて、上記内フラップの基端縁から上記切り欠きの略Ｖ字状の頂点までの垂直距離と上記外フラップの基端縁から上記弱化線の上記起点までの垂直距離との差が５ｍｍ以上２０ｍｍ以下であるとよい。このように構成すれば、フラップの仮封止時における段ボール箱の変形量を適切にできる。
【００１７】
よって、当該段ボール箱用シートを組み立ててなる段ボール箱は、容易に仮封止できると共に、一般的な段ボール箱と同様に粘着テープによって隙間なく封止できる。
【考案の効果】
【００１８】
以上のように、当該段ボール箱用シートを組み立ててなる段ボール箱は、フラップを大きく変形させることなく互いが係止し合う状態として容易に仮封止できると共に、一般的な段ボール箱と同様に粘着テープ等を用いて隙間なく封函できる。
【図面の簡単な説明】
【００１９】
【図１】本考案の一つの実施形態に係る段ボール箱を示す模式的斜視図である。
【図２】図１の段ボール箱を形成するための段ボール箱用シートを示す模式的展開図である。
【図３】図１の段ボール箱の外フラップの上に内フラップを折り重ねた状態を示す模式的平面図である。
【図４】図１の段ボール箱の外フラップと内フラップとが係止し合う仮封止状態を示す模式的平面図である。
【図５】本考案の図１とは異なる実施形態に係る段ボール箱を示す模式的斜視図である。
【図６】図５の段ボール箱の模式的平面図である。
【図７】本考案の図１及び図４とは異なる実施形態に係る段ボール箱を示す模式的平面図である。
【図８】本考案の図１図４及び図６とは異なる実施形態に係る段ボール箱を示す模式的斜視図である。
【図９】図８の段ボール箱を形成するための段ボール箱用シートを示す模式的展開図である。
【図１０】図８の段ボール箱の異なる仮封止状態を示す模式的斜視図である。
【考案を実施するための形態】
【００２０】
以下、適宜図面を参照しつつ、本考案の実施形態を詳説するが、まず図１乃至図４を用いて本考案の第一実施形態について説明する。
【００２１】
［第一実施形態］
図１の段ボール箱は、図２の１枚の段ボールシートからなる段ボール箱用シート１を組み立てることにより構成される。この段ボール箱用シート１は、それぞれ対向し合う一対の第１側壁２及び一対の第２側壁３を有する四角筒状部４と、第１側壁２の各上縁から延出し、四角筒状部４の天面を被覆可能な略方形かつ一対の外フラップ５と、第２側壁３の各上縁から延出し、四角筒状部４の天面を部分的に被覆可能な略方形かつ一対の内フラップ６と、第１側壁２の各下縁から延出し、四角筒状部４の底面を被覆可能な略方形かつ一対の下側外フラップ７と、第２側壁３の各下縁から延出し、四角筒状部４の底面を部分的に被覆可能な略方形かつ一対の下側内フラップ８とを備え、隣接する二対の外フラップ５及び内フラップ６がそれぞれ各対の外フラップ５及び内フラップ６間の係止機構を有する。なお、図において、太い実線は段ボールシートの切断されたエッジを示し、細い実線は段ボールシートを型押しして折り曲げやすくした罫線を示す。
【００２２】
対をなす外フラップ５及び内フラップ６間の係止機構は、内フラップ６の先端縁６ｂ（第２側壁３と反対側の端縁）に開口するよう形成され、内フラップ６の先端縁６ｂから略垂直に延伸する近位エッジ９ａ及びこの近位エッジ９ａの奥端から外フラップ５と反対側に伸びる遠位エッジ９ｂとによって画定された略Ｖ字状の切り欠き９と、外フラップ５の先端縁５ｂから略垂直に形成され、切り欠き９に係合可能なスリット１０及びこのスリットの所定位置を起点Ｑとし、内フラップ６と反対側かつその外フラップ５の先端縁５ｂに伸びる罫線からなる弱化線１１とによって画定される略直角三角形状の摘み部１２とを有する。
【００２３】
切り欠き９の略Ｖ字形状の頂点Ｐ（近位エッジ９ａ及び遠位エッジ９ｂの奥端）は、応力集中によって破れにくいように微小な円弧で接続されることが好ましい。また、スリット１０の奥端は、応力集中によって破れにくいような公知の処理、例えばスリットを縦棒としてＴ字状をなすように短い切り込みを入れる処理がなされることが好ましい。
【００２４】
外フラップ５の基端縁５ａ（第１側壁２の上端縁）から先端縁５ｂ（第１側壁２と反対側の端縁）までの延出長さＬは、内フラップ６の基端縁６ａ（第２側壁３の上端縁）から先端縁６ｂ（第２側壁３と反対側の端縁）までの延出長さと等しい。
【００２５】
外フラップ５のスリット１０の長さは、切り欠き９の深さ（近位エッジ９ａの長さ）よりも大きいことが好ましい。例えば、本実施形態において、スリット１０の長さと切り欠き９の深さとの差は、約３０ｍｍである。
【００２６】
外フラップ５において、対をなす内フラップ６側の隣接縁５ｃから弱化線１１の先端縁５ｂとの交点までの距離は、外フラップ５及び内フラップ６の延出長さＬ以下であることが好ましい。先端縁５ｂ上における隣接縁５ｃから弱化線１１までの距離と外フラップ５及び内フラップ６の延出長さＬとの差は、５ｍｍ以上５０ｍｍ以下が好ましい。
【００２７】
内フラップ６において、対をなす外フラップ５側の隣接縁６ｃから遠位エッジ９ｂの先端縁６ｂとの交点までの距離は、外フラップ５及び内フラップ６の延出長さＬ以下であることが好ましい。先端縁６ｂ上における隣接縁６ｃから遠位エッジ９ｂまでの距離と外フラップ５及び内フラップ６の延出長さＬとの差は、５ｍｍ以上５０ｍｍ以下が好ましい。
【００２８】
内フラップ６の基端縁６ａから切り欠き９の頂点Ｐまでの垂直距離Ａは、内フラップ６の隣接縁６ｃから切り欠き９の頂点Ｐまでの垂直距離Ｂよりも大きい。換言すると、切り欠き９の頂点Ｐは、内フラップ６の基端縁６ａの隣接縁６ｃ側の端部から４５°の角度で引いた仮想線よりも先端縁６ｂ側に位置している。切り欠き９の頂点Ｐの基端縁６ａからの垂直距離Ａと隣接縁６ｃからの垂直距離Ｂとの差は５ｍｍ以上２０ｍｍ以下が好ましい。例えば、本実施形態において、切り欠き９の頂点Ｐの基端縁６ａからの垂直距離Ａと隣接縁６ｃからの垂直距離Ｂとの差は約１０ｍｍである。
【００２９】
外フラップ５の基端縁５ａから弱化線１１の起点Ｑまでの垂直距離Ｃは、外フラップ５の隣接縁５ｃから弱化線１１の起点Ｑまでの垂直距離Ｄよりも大きい。換言すると、弱化線の起点Ｑは外フラップ５の基端縁５ａの隣接縁５ｃ側の端部から４５°の角度で引いた仮想線よりも先端縁５ｂ側に位置している。弱化線１１の起点Ｑの基端縁５ａからの垂直距離Ｃと隣接縁５ｃからの垂直距離Ｄとの差は５ｍｍ以上２０ｍｍ以下が好ましい。例えば、本実施形態において、弱化線１１の起点Ｑの基端縁５ａからの垂直距離Ｃと隣接縁５ｃからの垂直距離Ｄとの差は約１０ｍｍである。
【００３０】
内フラップ６の基端縁６ａから切り欠き９の頂点Ｐまでの垂直距離Ａと外フラップ５の基端縁５ａから弱化線１１の起点Ｑまでの垂直距離Ｃとは実質的に等しく、内フラップ６の隣接縁６ｃから切り欠き９の頂点Ｐまでの垂直距離Ｂと外フラップ５の隣接縁５ｃから弱化線１１の起点Ｑまでの垂直距離Ｄとは実質的に等しい。換言すると、内フラップ６における切り欠き９の隣接縁６ｃに対する配置及び形状は、外フラップ５における摘み部１２の隣接縁５ｃに対する配置及び形状と対称である。
【００３１】
また、上述の条件からは、内フラップ６の基端縁６ａから切り欠き９の頂点Ｐまでの垂直距離Ａと外フラップ５の隣接縁５ｃから弱化線１１の起点Ｑまでの垂直距離Ｄとの差が２０ｍｍ以下であり、かつ、内フラップ６の隣接縁６ｃから切り欠き９の頂点Ｐまでの垂直距離Ｂと外フラップ５の基端縁５ａから弱化線１１の起点Ｑまでの垂直距離Ｃとの差が２０ｍｍ以下であるとの好ましい関係が導き出される。換言すると、図３に示すように、当該段ボール箱において天面を被覆するように外フラップ５及び内フラップ６を折り重ねたとき、切り欠き９の頂点Ｐが弱化線１１の起点Ｑの近傍に位置することが好ましい。
【００３２】
切り欠き９の遠位エッジ９ｂの内フラップ６の先端縁６ｂに対する傾斜角度αは、弱化線１１の外フラップ５の先端縁５ｂに対する傾斜角度βと実質的に等しい。また、遠位エッジ９ｂの傾斜角度αと弱化線１１の傾斜角度βとの合計角度は、９０°よりも大きい。遠位エッジ９ｂの傾斜角度αと弱化線１１の傾斜角度βとの合計角度は、９５°以上１２０°以下であることが好ましい。例えば、本実施形態において、遠位エッジ９ｂの傾斜角度α及び弱化線１１の傾斜角度βは、共に約５０°であり、合計角度は１００°である。
【００３３】
＜仮封止方法＞
当該段ボール箱は、以下に説明するように仮封止される。
【００３４】
当該段ボール箱において、図３に示すように、四角筒状部４の天面を被覆するように外フラップ５を折り込み、その上に内フラップ６を折り重ねると、内フラップ６に対して外フラップ５の摘み部１２は切り欠き９よりも基端縁６ａ側に配置され、外フラップ５に対して内フラップ６の切り欠き９は摘み部１２よりも基端縁５ａ側に配置される。つまり、この状態では、スリット１０を切り欠き９に係合させられない。
【００３５】
そこで、図４に示すように、外フラップ５に対して内フラップ６を傾斜させて、当該段ボール箱を略平行四辺形状に変形させることで、切り欠き９の頂点Ｐと弱化線１１の起点Ｑとを概略重ね合わせる。これにより、摘み部１２を切り欠き９を通して内フラップ６の上側に引き出すことが可能となり、スリット１０と切り欠き９とを係合させられる。
【００３６】
ここで、切り欠き９の遠位エッジ９ｂの傾斜角度αと弱化線１１の傾斜角度βとの合計角度は、さらに図３における外フラップ５の隣接縁５ｃと内フラップ６の隣接縁６ｃとの交点を中心とした切り欠き９の頂点Ｐと弱化線１１の起点Ｑとの間の角度（本実施形態では約４°）以上９０°よりも大きいので、スリット１０と切り欠き９とを係合させた状態で、外フラップ５の弱化線１１の基端縁５ａ側部分と、内フラップ６の遠位エッジ９ｂの基端縁６ａ側部分とが重なり合う重複領域Ｓ（ハッチング部分）が形成される。この重複領域Ｓにおいて、外フラップ５が内フラップ６を上から抑え込み、当該段ボール箱を封止状態に保つ。
【００３７】
なお、実際の段ボール箱用シート１は、弾性を有するので、当該段ボール箱の変形が僅かであれば、第１側壁２及び第２側壁３の膨らみ等により、外フラップ５の隣接縁５ｃと反対側の端縁及び内フラップ６の隣接縁６ｃと反対側の端縁が潰されることはない。また、このような弾性変形によって、外フラップ５の摘み部１２及び重複領域Ｓを内フラップ６の切り欠き９を通して引き出すことが可能である。さらに、このように外フラップ５と内フラップ６とが互いを係止する状態で、段ボール箱用シート１の弾性力は、当該段ボール箱を平面視で長方形に戻す方向、つまり重複領域Ｓを増大させる方向に作用する。従って、当該段ボール箱に外側から力が作用しても、外フラップ５のスリット１０と内フラップ６の切り欠き９との係合は容易に解消されず、仮封止状態を保持できる。
【００３８】
このように、仮封止を保持する弾性力を作用させるために、切り欠き９の頂点Ｐの基端縁６ａからの垂直距離Ａと隣接縁６ｃからの垂直距離Ｂとの差が５ｍｍ以上２０ｍｍ以下であることが好ましく、弱化線１１の起点Ｑの基端縁５ａからの垂直距離Ｃと隣接縁５ｃからの垂直距離Ｄとの差が５ｍｍ以上２０ｍｍ以下であることが好ましい。上記垂直距離Ａと上記垂直距離Ｂとの差及び上記垂直距離Ｃと上記垂直距離Ｄとの差が上記下限値未満の場合、十分な弾性力を作用させられず、仮封止が容易に解消されるおそれがある。一方、上記垂直距離Ａと上記垂直距離Ｂとの差及び上記垂直距離Ｃと上記垂直距離Ｄとの差が上記上限値を超える場合、必要な変形量が過大となり、段ボール箱用シート１が破れたり不必要な折り目が形成されたりして当該段ボール箱の強度が低下するおそれがある。
【００３９】
また、切り欠き９の頂点Ｐと弱化線１１の起点Ｑとを略重ね合わせるように切り欠き９とスリット１０とを係合させるためには、内フラップ６の基端縁６ａから切り欠き９の頂点Ｐまでの垂直距離Ａと外フラップ５の隣接縁５ｃから弱化線１１の起点Ｑまでの垂直距離Ｄとの差が２０ｍｍ以下であり、かつ、内フラップ６の隣接縁６ｃから切り欠き９の頂点Ｐまでの垂直距離Ｂと外フラップ５の基端縁５ａから弱化線１１の起点Ｑまでの垂直距離Ｃとの差が２０ｍｍ以下であることが好ましい。上記垂直距離Ａと上記垂直距離Ｄとの差及び上記垂直距離Ｂと上記垂直距離Ｃとの差が上記上限値を超える場合、外フラップ５の上に内フラップ６を重ね合わせたときに切り欠き９の頂点Ｐと弱化線１１の起点Ｑとが離れすぎて、必要な変形量が過大となり、段ボール箱用シート１が破れたり不必要な折り目が形成されたりして当該段ボール箱の強度が低下するおそれがある。
【００４０】
また、遠位エッジ９ｂの傾斜角度αと弱化線１１の傾斜角度βとの合計角度が９５°以上１２０°以下であることが好ましい。上記合計角度が上記下限未満の場合、十分な重複領域Ｓを形成できず、仮封止が容易に解消されるおそれがある。一方、上記合計角度が上記上限を超える場合、重複領域Ｓが過大となり、摘み部１２を切り欠き９を通して内フラップ６の上側に引き出すことが困難となるおそれがある。
【００４１】
＜利点＞
以上説明したように、当該段ボール箱は、内フラップ６の切り欠き９に外フラップ５のスリットを係合させて仮封止できる。また、当該段ボール箱は、外フラップ５にスリット１０と弱化線１１とを設けただけでシートを切り取っていないので、内フラップ６の上に外フラップ５を折り重ねて粘着テープ等で封止する場合、一般的な段ボール箱と同様に隙間なく封函できる。
【００４２】
［第二実施形態］
次に、本考案の第二実施形態について図５及び図６を用いて説明する。なお、第二実施形態において、第一実施形態と同一構成又は同一機能を有する部材については同一符号を用い、説明を省略することがある。
【００４３】
図５及び図６の段ボール箱は、外フラップ５の隣接縁５ｃからスリット１０（弱化線１１の起点Ｑ）までの垂直距離Ｄが、内フラップ６の基端縁６ａから切り欠き９の頂点Ｐまでの垂直距離Ａよりも大きい。このように、外フラップ５の隣接縁５ｃからスリット１０（弱化線１１の起点Ｑ）までの垂直距離Ｄが内フラップ６の延出長さＬ未満であれば、スリット１０と切り欠き９とを係合させられる。
【００４４】
また、図５及び図６の段ボール箱において、切り欠き９の遠位エッジ９ｂの内フラップ６の先端縁６ｂに対する傾斜角度αは約４５°であり、弱化線１１の外フラップ５の先端縁５ｂに対する傾斜角度βは約６５°である。つまり、図５及び図６の段ボール箱では、遠位エッジ９ｂの傾斜角度αと弱化線１１の傾斜角度βとの合計角度が約１１０°である。このように、遠位エッジ９ｂの傾斜角度αと弱化線１１の傾斜角度βとの合計角度が９０°より大きければ、外フラップ５のスリット１０を内フラップ６の切り欠き９に係合させたときに、遠位エッジ９ｂと弱化線１１とが交差し、重複領域Ｓを形成できる。
【００４５】
［第三実施形態］
本考案の第三実施形態について図７を用いて説明する。なお、第三実施形態において、第一実施形態又は第二実施形態と同一構成又は同一機能を有する部材については同一符号を用い、説明を省略することがある。
【００４６】
図７の段ボール箱は、外フラップ５の隣接縁５ｃからスリット１０（弱化線１１の起点Ｑ）までの垂直距離Ｄが、内フラップ６の基端縁６ａから切り欠き９の頂点Ｐまでの垂直距離Ａよりも大きく、さらに外フラップ５の基端縁５ａから弱化線１１の起点Ｑまでの垂直距離Ｃが、内フラップ６の隣接縁６ｃから切り欠き９の頂点Ｐまでの垂直距離Ｂよりも大きい。このような構成でも、重複領域Ｓを形成するようにスリット１０を切り欠き９と係合させられる。
【００４７】
また、図７の段ボール箱において、切り欠き９の遠位エッジ９ｂの内フラップ６の先端縁６ｂに対する傾斜角度αは４５°であり、弱化線１１の外フラップ５の先端縁５ｂに対する傾斜角度βも４５°である。つまり、図７の段ボール箱では、遠位エッジ９ｂの傾斜角度αと弱化線１１の傾斜角度βとの合計角度が９０°である。このため、外フラップ５のスリット１０を内フラップ６の切り欠き９に係合させたときに、遠位エッジ９ｂと弱化線１１とを交差させることはできないが、スリット１０が弱化線１１の起点Ｑよりも深い位置で切り欠き９と係合する。このように、適当な重複領域Ｓを画定できるように弱化線１１を配置すれば、遠位エッジ９ｂの傾斜角度αと弱化線１１の傾斜角度βとの合計角度が９０°以下であってもよい。
【００４８】
［第四実施形態］
本考案の第四実施形態について図８、図９及び図１０を用いて説明する。なお、第四実施形態において、第一実施形態、第二実施形態又は第三実施形態と同一構成又は同一機能を有する部材については同一符号を用い、説明を省略することがある。
【００４９】
図８の段ボール箱は、図９の段ボール箱用シート１を組み立ててなる。図８の段ボール箱は、外フラップ５に弱化線が形成されていない。しかしながら、外フラップ５の隣接縁５ｃからスリット１０までの垂直距離Ｄが、内フラップ６の基端縁６ａから切り欠き９の頂点Ｐまでの垂直距離Ａよりも大きく、内フラップ６の延出長さＬよりも若干小さい程度であるため、図８に示すように、スリット１０を切り欠き９に係合できる。外フラップ５の隣接縁５ｃからスリット１０までの垂直距離Ｄと内フラップ６の延出長さＬとの差は、２０ｍｍ以上５０ｍｍ以下とすることが好ましい、上記垂直距離Ｄが上記下限値未満の場合、仮封止状態が容易に解消されるおそれがある。一方、上記垂直距離Ｄが上記上限値を越える場合、スリット１０を切り欠き９に係合させるのが困難になるおそれがある。
【００５０】
また、図８の段ボール箱は、図１０に示すように、外フラップ５のスリット１０より隣接縁５ｃ側の部分が内フラップ６の上側に配置されるよう、スリット１０と切り欠き９とを係合させることも可能である。
【００５１】
［その他の実施形態］
今回開示された実施の形態はすべての点で例示であって制限的なものではないと考えられるべきである。本考案の範囲は、上記実施形態の構成に限定されるものではなく、実用新案登録請求の範囲によって示され、実用新案登録請求の範囲と均等の意味及び範囲内での全ての変更が含まれることが意図される。
【００５２】
例えば、当該段ボール箱用シートにおいて弱化線は罫線だけでなく、ミシン目状の切り込み、シートの片面のみを切断したハーフカット等であってもよい。
【００５３】
また、上述の各実施形態では、隣接する外フラップ及び内フラップの二つの対がそれぞれ外フラップ及び内フラップ間の係止機構を有するが、いずれか一対のみが本考案に係る上述の外フラップ及び内フラップ間の係止機構を有してもよい。この場合、係止機構を有しない外フラップ及び内フラップの対は、従来通りに風車型に折り込むことで仮封止できる。より詳しくは、そのような変形実施形態の段ボール箱では、先ず係止機構のスリットを有する外フラップを折り曲げ、続いて係止機構を有しない内フラップをその上に折り重ね、係止機構を有しない外フラップをさらにその上に折り重ね、最後に係止機構の切り欠きを有する内フラップを一番上に折り重ね、最も下側に配置された外フラップのスリットを最も上側に折り重ねられた内フラップの切り欠きに係合させる。
【産業上の利用可能性】
【００５４】
以上の説明のように、本考案に係る段ボール箱用シート及び段ボール箱は、一時的に品物を収容するためにも使用され、封函して品物を輸送するためにも使用され得る段ボール箱に好適である。
【符号の説明】
【００５５】
１  段ボール箱用シート
２  第１側壁
３  第２側壁
４  四角筒状部
５  外フラップ
６  内フラップ
７  下側外フラップ
８  下側内フラップ
９  切り欠き
９ａ  近位エッジ
９ｂ  遠位エッジ
１０  スリット
１１  弱化線
１２  摘み部
Ａ  内フラップの基端縁から切り欠きの頂点までの垂直距離
Ｂ  内フラップの隣接縁から切り欠きの頂点までの垂直距離
Ｃ  外フラップの基端縁から弱化線の起点までの垂直距離
Ｄ  外フラップの隣接縁から弱化線の起点までの垂直距離
Ｌ  外フラップ及び内フラップの延出長さ
Ｐ  切り欠きの頂点
Ｑ  弱化線の起点
Ｓ  重複領域
α  遠位エッジの内フラップの先端縁に対する傾斜角度
β  弱化線の外フラップの先端縁に対する傾斜角度
【図１】
0003186868.tif 000003
【図２】
0003186868.tif 000004
【図３】
0003186868.tif 000005
【図４】
0003186868.tif 000006
【図５】
0003186868.tif 000007
【図６】
0003186868.tif 000008
【図７】
0003186868.tif 000009
【図８】
0003186868.tif 000010
【図９】
0003186868.tif 000011
【図１０】
0003186868.tif 000012
【手続補正書】
【提出日】平成25年8月27日(2013.8.27)
【手続補正１】
【補正対象書類名】実用新案登録請求の範囲
【補正対象項目名】請求項２
【補正方法】変更
【補正の内容】
【請求項２】
上記スリットの長さが上記切り欠きの深さよりも大きい請求項１に記載の段ボール箱用シート。